(57)【要約】【課題】ディスク・ドライブもしくはデータ記憶装置と、その試験装置やホスト等の外部機器との接続の容易化を図ること。【解決手段】本発明の一例に係るアタッチメント・カード２００は、ボールド・カバー２０１と、ボールド・カバー２０１内に収容された変換基板２０２と、ボールド・カバー２０１底面に対向する変換基板２０２の第１主面において第１端側に実装され、外部装置と接続されるＣＦコネクタ２２３と、変換基板２０２上の第１主面の反対側の第２主面上において第１端の対向端側に実装され、ＨＤＤ１００と接続されるＺＩＦコネクタ２２１と、を備え、ＣＦコネクタ２２３からＺＩＦコネクタ２２１に向かう方向においてボールド・カバー２０１底面に近づくように、変換基板２０２は傾斜している。【選択図】図４
2007220241.tif 000002
【特許請求の範囲】
【請求項１】
データ記憶装置を外部装置と接続するための変換アダプタであって、
フレームと、
前記フレーム内に収容された基板と、
前記フレーム底面に対向する前記基板の第１主面において第１端側に実装され、外部装置と接続される第１コネクタと、
前記基板上の前記第１主面の反対側の第２主面上において前記第１端の対向端側に実装され、前記データ記憶装置と接続される第２コネクタと、を備え、
前記第１コネクタから第２コネクタに向かう方向において前記フレーム底面に近づくように、前記基板は傾斜している、変換アダプタ。
【請求項２】
前記第２コネクタと前記データ記憶装置とは、接続配線を介して接続され、
前記第２コネクタは、前記第２主面に垂直な方向に開閉可能であって閉状態において前記接続配線を押さえるラッチを備え、
前記ラッチの開状態及び閉状態のいずれにおいても、前記第２コネクタは前記基板を囲む前記フレーム側壁よりも低い、
請求項１に記載の変換アダプタ。
【請求項３】
さらに、前記第２主面上で突出して前記接続配線の穴に勘合する凸部を備える、請求項１に記載の変換アダプタ。
【請求項４】
さらに、前記データ記憶装置を収容する収容部を備え、
前記第２コネクタと収容部に収容された前記データ記憶装置とを接続する平板配線と、
前記平板配線が前記第２コネクタに接続された状態において、前記平板配線と前記底面とが実質的に平行となるように前記平板配線を支持する配線支持部と、
を更に備える、請求項１に記載の変換アダプタ。
【請求項５】
前記フレームは、前記データ記憶装置を収容する収容部をさらに備え、
前記収容部の前記第２コネクタの反対側はオープンであり、
前記収容部は、第２コネクタ側から延出する互いに平行な二つの側壁を備え、収容部内におけるその側壁間距離は収容する前記データ記憶装置の幅に実質的に一致する、
請求項1に記載の変換アダプタ。
【請求項６】
ディスク・ドライブ装置を外部装置と接続するための変換アダプタであって、
ディスク・ドライブ装置のディスク回転軸と垂直な第１の面がその底面と対向するように、前記ディスク・ドライブ装置を収容するフレームと、
外部装置と接続される第１コネクタと、
前記第１コネクタ及び前記データ記憶装置と回路的に接続される第２コネクタと、
前記データ記憶装置が前記フレーム内に収容され前記第２コネクタと接続された状態において、前記第１の面の反対側の第２の面を押圧する押圧部と、
を備える変換アダプタ。
【請求項７】
前記ディスク・ドライブ装置は、前記第２の面上に制御回路基板を備え、
前記押圧部は、前記第２の面の前記制御回路基板から露出した部分を押圧する、
請求項６に記載の変換アダプタ。
【請求項８】
前記押圧部は、モータを収容するために形成され前記制御回路基板から露出した前記第２の面上の凸部を押圧する、請求項７に記載の変換アダプタ。
【請求項９】
前記押圧部は前記第２の面に当接する弾性体部を備える、請求項６に記載の変換アダプタ。
【請求項１０】
前記弾性体部は、押圧時にその中心軸が押圧方向に沿う筒状体であって、前記第２の面の押圧時に屈折する、請求項９に記載の変換アダプタ。
【請求項１１】
前記フレームの底面に前記第１の面と当接する３以上の凸部を備える、請求項６に記載の変換アダプタ。
【請求項１２】
前記フレーム内に実装された基板をさらに備え、
前記第１コネクタは、前記基板の前記フレーム底面に対向する第１主面において第１端側に実装され、
前記第２コネクタは、前記基板上の前記第１主面の反対側の第２主面上において前記第１端の対向端側に実装され、
前記第１コネクタから第２コネクタに向かう方向において前記フレームの底面に近づくように、前記基板は傾斜している、
請求項６に記載の変換アダプタ。
【請求項１３】
前記ディスク・ドライブ装置が前記フレーム内に収容された状態において、前記第２コネクタと当該第２コネクタに接続される前記データ記憶装置のコネクタとが略同一の高さとなるように、前記データ記憶装置が配置される前記フレームの底面と前記基板が配置される前記フレームの底面との間に高低差が存在する、請求項１２に記載の変換アダプタ。
【請求項１４】
メディアと回路が実装された回路基板とを筐体に実装し、
前記部品実装された筐体を、その第１幅広面がフレーム底面と対向するようにフレーム内に配置し、
前記回路基板上のコネクタと、前記フレームに実装されているコネクタとを接続し、
前記コネクタが接続された状態で、前記第１幅広面の反対側の第２幅広面を押圧して前記筐体をフレーム内で固定し、
前記フレームのテスト装置側コネクタとテスト装置とを接続して前記メディアについてのテストを実行する、
データ記憶装置の製造方法。
【請求項１５】
前記回路基板は、前記第２幅広面上に配置され、前記第２幅広面の前記回路基板から露出した部分を押圧する、請求項１４に記載の方法。
【発明の詳細な説明】
【技術分野】
【０００１】
本発明は変換アダプタ及びデータ記憶装置の製造方法に関し、特に、変換アダプタへの装置の装着もしくは接続手法に関する。
【背景技術】
【０００２】
データ記憶装置として、光ディスクや磁気テープなどの様々な態様のメディアを使用する装置が知られている。その中で、ハードディスク・ドライブ（ＨＤＤ）は、コンピュータの記憶装置として広く普及し、現在のコンピュータ・システムにおいて欠かすことができない記憶装置の一つとなっている。さらに、コンピュータ・システムにとどまらず、動画像記録再生装置、カーナビゲーション・システム、携帯電話、あるいはデジタル・カメラなどで使用されるリムーバブルメモリなど、ＨＤＤの用途はその優れた特性により益々拡大している。
【０００３】
ＨＤＤは、データを記憶する磁気ディスクと、磁気ディスクへアクセスするヘッド・スライダとを備えている。ヘッド・スライダは、磁気ディスクとの間のデータ読み出し及び／もしくは書き込みを行うヘッド素子部と、ヘッド素子部がその上に形成されたスライダとを有している。ＨＤＤは、さらに、ヘッド・スライダを磁気ディスク上の所望の位置に移動するアクチュエータを備えている。アクチュエータはボイス・コイル・モータ（ＶＣＭ）によって駆動され、回動軸を中心として回動することによって、回転する磁気ディスク上でヘッド・スライダを半径方向に移動する。これによって、ヘッド素子部が磁気ディスクに形成された所望のトラックにアクセスし、データの読み出し／書き込み処理を行うことができる。
【０００４】
ＨＤＤは、部品を組み立てた後に外部の試験装置に接続して動作試験や各種パラメータの設定、調整等を行う。大量生産に係るＨＤＤでは、一度に大量のＨＤＤを試験装置に接続し、上記の動作試験等を行っている。試験装置は、ＨＤＤを収納し内部の温度を調整可能なチャンバ、チャンバ内部においてＨＤＤを固定するフィクスチャ、ＨＤＤに試験を実行させる試験用コンピュータ及びＨＤＤと試験用コンピュータとを接続するアダプタを有する。ＨＤＤは、試験装置のチャンバに挿入され、アダプタを介して試験用コンピュータに接続される。
【０００５】
試験対象であるＨＤＤのインターフェースと試験用コンピュータ側とのインターフェースが異なる場合、ＨＤＤと試験用コンピュータとを接続するアダプタにはインターフェース変換回路が含まれ、異なるインターフェース間での通信を可能にしている。変換アダプタの例として、特許文献１には、複数の外部インターフェースを容易に且つ小型化に実現するための複合型記憶装置用カード基板が記載されている。
【特許文献１】特開２００４−２３４４４０号公報
【発明の開示】
【発明が解決しようとする課題】
【０００６】
ＨＤＤの用途が携帯用電子機器にまで広がったことにより、ＨＤＤの小型化、薄型化が進んでいる。最も小さいタイプのＨＤＤは、そのサイズは１インチ以下というレベルにまで達している。ＨＤＤのサイズの縮小化の影響は、インターフェース・コネクタにも及んでいる。一例として、０．３／０．５ｍｍ狭ピッチのフレックス・ケーブル対応ＺＩＦ（Zero Insertion Force）コネクタが、インターフェース・コネクタとしてＨＤＤに実装されることがある。しかしながら、通常、ＨＤＤ試験装置やホストとなるＰＣ（パーソナル・コンピュータ）はインターフェース・コネクタとしてフレックス・ケーブル・ポートを備えていない。従って、上記のような小型化の進んだＨＤＤを試験し、又は可搬型記録媒体として用いるためにＨＤＤ試験装置やホストに接続するためには、夫々接続可能なインターフェース・コネクタに変換する必要がある。
【０００７】
小型のＨＤＤを試験するためのＨＤＤ試験装置のインターフェース・コネクタとしては、例えばマイクロドライブ等でも用いられるＣＦ（ＣｏｍｐａｃｔＦｌａｓｈ）（登録商標）のインターフェース・コネクタが用いられる。従って、試験対象であるＨＤＤと試験用コンピュータとを接続するには、ＺＩＦコネクタのインターフェースをＣＦのインターフェースに変換する回路を使用する。しかしながら、上記のＺＩＦコネクタを有するＨＤＤを試験する場合、フレックス・ケーブルとＨＤＤとの接続が非常に細かい作業であり、生産性の悪化を招く。
【０００８】
この様な課題を解決するために、ＣＦのインターフェース・コネクタ及び試験対象であるＨＤＤとインターフェース・コネクタとを接続するアダプタを有し、試験対象であるＨＤＤを接続して格納できるような変換アダプタを使用してＨＤＤを試験することが考えられる。しかしながら、小型化されていることにより設計上の制約の多いＨＤＤを他の定められた規格に合わせる必要があるため、構造上等の問題があり難しい。例えば、ＨＤＤ側のコネクタの位置とアダプタ側のコネクタの位置関係や、ＺＩＦコネクタの上空にある程度の空間を設ける必要性等が挙げられる。
【０００９】
また、動作中のＨＤＤの内部では磁気ディスクが高速回転したり、アクチュエータが回動動作を繰り返したりしているため、ＨＤＤの外側を構成するハウジングには振動が発生する。ＨＤＤのハウジングが振動すると、試験動作中にヘッドを所定のトラックに位置づける性能が低下し、不必要なエラーが発生して適切な試験を行うことができない。また、チャンバには大量のＨＤＤが収納されているため、他のＨＤＤの振動の影響を防ぐ必要もある。従って、ＨＤＤをアタッチメント・カードに格納する際は、試験を適正に行えるように固定する必要がある。しかしながら、小型化されたＨＤＤであるため、通常のＨＤＤと同じように押圧固定することが難しい。
【００１０】
本発明はこのような事情を背景としてなされたものであって、ディスク・ドライブもしくはデータ記憶装置と、その試験装置やホスト等の外部機器との接続の容易化を図ることを目的とする。
【課題を解決するための手段】
【００１１】
本発明の一例に係る変換アダプタは、データ記憶装置を外部装置と接続するための変換アダプタであって、フレームと、前記フレーム内に収容された基板と、前記フレーム底面に対向する前記基板の第１主面において第１端側に実装され、外部装置と接続される第１コネクタと、前記基板上の前記第１主面の反対側の第２主面上において前記第１端の対向端側に実装され、前記データ記憶装置と接続される第２コネクタと、を備え、前記第１コネクタから第２コネクタに向かう方向において前記フレーム底面に近づくように、前記基板は傾斜している。これにより、データ記憶装置と、その試験装置やホスト等の外部機器との接続の容易化を図ることができる。
【００１２】
ここで、前記第２コネクタと前記データ記憶装置とは、接続配線を介して接続され、前記第２コネクタは、前記第２主面に垂直な方向に開閉可能であって閉状態において前記接続配線を押さえるラッチを備え、前記ラッチの開状態及び閉状態のいずれにおいても、前記第２コネクタは前記基板を囲む前記フレーム側壁よりも低いことが好ましい。これにより、ラッチがホスト等のスロット内壁に嵌合し、変換アダプタが抜けなくなることを回避できる。
【００１３】
さらに、前記第２主面上で突出して前記接続配線の穴に勘合する凸部を備えることが好ましい。これにより、第２主面上における接続配線の位置を決定することができる。
【００１４】
さらに、前記データ記憶装置を収容する収容部を備え、前記第２コネクタと収容部に収容された前記データ記憶装置とを接続する平板配線と、前記平板配線が前記第２コネクタに接続された状態において、前記平板配線と前記底面とが実質的に平行となるように前記平板配線を支持する配線支持部と、を更に備えることが好ましい。これにより、データ記憶装置を収容部に収容する際、平板配線とデータ記憶装置との接続を容易に行うことができる。
【００１５】
また、前記フレームは、前記データ記憶装置を収容する収容部をさらに備え、前記収容部の前記第２コネクタの反対側はオープンであり、前記収容部は、第２コネクタ側から延出する互いに平行な二つの側壁を備え、収容部内におけるその側壁間距離は収容する前記データ記憶装置の幅に実質的に一致することが好ましい。これにより、データ記憶装置を収容部に収容する際のデータ記憶装置と平板配線との位置関係を決定し、平板配線とデータ記憶装置との接続を容易に行うことができる。
【００１６】
本発明の他の一例に係る変換アダプタは、ディスク・ドライブ装置を外部装置と接続するための変換アダプタであって、ディスク・ドライブ装置のディスク回転軸と垂直な第１の面がその底面と対向するように、前記ディスク・ドライブ装置を収容するフレームと、外部装置と接続される第１コネクタと、前記第１コネクタ及び前記データ記憶装置と回路的に接続される第２コネクタと、前記データ記憶装置が前記フレーム内に収容され前記第２コネクタと接続された状態において、前記第１の面の反対側の第２の面を押圧する押圧部とを備える。これにより、ディスク・ドライブと、その試験装置やホスト等の外部機器との接続の容易化を図ることができる。
【００１７】
ここで、前記ディスク・ドライブ装置は、前記第２の面上に制御回路基板を備え、前記押圧部は、前記第２の面の前記制御回路基板から露出した部分を押圧することが好ましい。これにより、ディスク・ドライブ装置に不具合を発生させること無く、押圧固定することが可能となる。
【００１８】
また、前記押圧部は、モータを収容するために形成され前記制御回路基板から露出した前記第２の面上の凸部を押圧することが好ましい。これにより、押圧によるディスク・ドライブ装置の不具合を更に低減することができる。
【００１９】
さらに、前記押圧部は前記第２の面に当接する弾性体部を備えることが好ましい。これにより、ディスク・ドライブ装置に不具合を発生させること無く、押圧固定することが可能となる。
【００２０】
さらにまた、前記弾性体部は、押圧時にその中心軸が押圧方向に沿う筒状体であって、前記第２の面の押圧時に屈折することが好ましい。これにより、ディスク・ドライブ装置を押圧する力を適正にすることができる。
【００２１】
また、前記フレームの底面に前記第１の面と当接する３以上の凸部を備えることが好ましい。これにより、ディスク・ドライブ装置を適正に支持することができる。
【００２２】
また、前記フレーム内に実装された基板をさらに備え、前記第１コネクタは、前記基板の前記フレーム底面に対向する第１主面において第１端側に実装され、前記第２コネクタは、前記基板上の前記第１主面の反対側の第２主面上において前記第１端の対向端側に実装され、前記第１コネクタから第２コネクタに向かう方向において前記フレームの底面に近づくように、前記基板は傾斜していることが好ましい。これにより、第１コネクタと第２コネクタとを異なる面上に配置することができる。
【００２３】
さらに、前記ディスク・ドライブ装置が前記フレーム内に収容された状態において、前記第２コネクタと当該第２コネクタに接続される前記データ記憶装置のコネクタとが略同一の高さとなるように、前記データ記憶装置が配置される前記フレームの底面と前記基板が配置される前記フレームの底面との間に高低差が存在することが好ましい。これにより、データ記憶装置のコネクタと第２コネクタとの接続を容易に行うことができる。
【００２４】
本発明の一例に係るデータ記憶装置の製造方法は、メディアと回路が実装された回路基板とを筐体に実装し、前記部品実装された筐体を、その第１幅広面がフレーム底面と対向するようにフレーム内に配置し、前記回路基板上のコネクタと、前記フレームに実装されているコネクタとを接続し、前記コネクタが接続された状態で、前記第１幅広面の反対側の第２幅広面を押圧して前記筐体をフレーム内で固定し、前記フレームのテスト装置側コネクタとテスト装置とを接続して前記メディアについてのテストを実行する。これにより、データ記憶装置と、その試験装置との接続の容易化を図ることができる。
【００２５】
ここで、前記回路基板は、前記第２幅広面上に配置され、前記第２幅広面の前記回路基板から露出した部分を押圧することが好ましい。これにより、これにより、データ記憶装置に不具合を発生させること無く、押圧固定することが可能となる。
【発明の効果】
【００２６】
本発明によれば、小型化された記録ディスク・ドライブとその試験装置やホストコンピュータ等の外部機器との接続の容易化を図ることができる。
【発明を実施するための最良の形態】
【００２７】
以下に、本発明を適用可能な実施の形態を説明する。なお、各図面において、同一要素には同一の符号が付されており、説明の明確化のため、必要に応じて重複説明は省略されている。本形態は、小型化されたハードディスク・ドライブ（ＨＤＤ）を試験装置やパーソナルコンピュータ等のホストと接続するためのアダプタに関し、特に小型ＨＤＤを収容した状態でそのインターフェース・コネクタをホストに設けられた既存のインターフェース・コネクタに対応するコネクタに変換するアタッチメント・カードに関する。
【００２８】
最初に、ＨＤＤの全体構成を説明する。図１（ａ）は、本実施の形態に係るＨＤＤ１００の構成を模式的に示す平面図である。ＨＤＤ１００は、データを記録する記録ディスクとしての磁気ディスク１０１を備えている。磁気ディスク１０１は、磁性層が磁化されることによってデータを記録する不揮発性メモリである。ＨＤＤ１００の各構成要素は、ベース１０２内に収容されている。ベース１０２は、ベース１０２の上部開口を塞ぐトップカバー（不図示）とガスケット（不図示）を介して固定されることによってディスクエンクロージャ（筐体）を構成し、ＨＤＤ１００の各構成要素を収容することができる。
【００２９】
ヘッド・スライダ１０５は、ホスト（不図示）との間で入出力されるデータについて、磁気ディスク１０１への書き込み及び／又は読み出しを行うヘッド素子部と、そのヘッド素子部がその面上に形成されているスライダとを備えている。ヘッド素子部は、磁気ディスク１０１への記憶データに応じて電気信号を磁界に変換する記録素子及び／又は磁気ディスク１０１からの磁界を電気信号に変換する再生素子とを有する
【００３０】
アクチュエータ１０６は、ヘッド・スライダ１０５を保持、移動する。アクチュエータ１０６は回動軸１０７に回動自在に保持されており、駆動機構としてのＶＣＭ（ボイス・コイル・モータ）１０９によって駆動される。アクチュエータ１０６は、ヘッド・スライダ１０５が配置された長手方向におけるその先端部から、サスペンション１１０、アーム１１１、コイル・サポート１１２及びフラットコイル１１３の順で結合された各構成部材を備えている。ＶＣＭ１０９は、フラットコイル１１３、上側ステータ・マグネット保持板１１４に固定されたステータ・マグネット（不図示）、及び下側ステータ・マグネット（不図示）から構成されている。
【００３１】
磁気ディスク１０１は、ベース１０２に固定され、ベース１０２の底面に対して垂直な回転軸を有するスピンドル・モータ（ＳＰＭ）１０３に一体的に保持され、ＳＰＭ１０３により所定の角速度で回転される。磁気ディスク１０１からのデータの読み取り／書き込みのため、アクチュエータ１０６は回転している磁気ディスク１０１表面のデータ領域上空にヘッド・スライダ１０５を移動する。磁気ディスク１０１に対向するスライダのＡＢＳ（Air Bearing Surface）面と回転している磁気ディスク１０１との間の空気の粘性による圧力が、サスペンション１１０によって磁気ディスク１０１方向に加えられる圧力とバランスすることによって、ヘッド・スライダ１０５は磁気ディスク１０１上を一定のギャップを置いて浮上する。磁気ディスク１０１の回転が停止する等のときには、アクチュエータ１０６はヘッド・スライダ１０５をデータ領域からランプ機構１１５に退避させる。
【００３２】
尚、ヘッド・スライダ１０５がデータ書き込み／読み出し処理を行わない場合に、磁気ディスク１０１の内周に配置されているゾーンに退避するＣＳＳ（Contact Start and Stop）方式に、本発明を適用することも可能である。また、上記の説明では、簡単のために磁気ディスク１０１が一枚構成で、片面記憶のハードディスク・ドライブを説明しているが、ＨＤＤ１００は、１もしくは複数枚の両面記憶磁気ディスクを備えることができる。
【００３３】
図１（ｂ）は、本実施の形態に係るＨＤＤ１００の外観を模式的に示す斜視図であり、図２（ａ）、（ｂ）は図１（ｂ）の切断線ＡＡにおける断面図である。図１（ｂ）においては、トップカバー１０４を下にして、ベース１０２側から見た状態を示す。本実施形態に係るＨＤＤ１００は、トップカバー１０４によってベース１０２の上部開口が塞がれている。そして、トップカバー１０４及びベース１０２の側面に一周に亘って巻かれたガスケット１１６がトップカバー１０４とベース１０２との隙間を封止している。
【００３４】
ベース１０２上には回路基板１１７が設けられている。回路基板１１７は、リード・ライト・チャネル（Ｒ／Ｗチャネル）、モータドライバユニット（ＭＤＵ）、ハードディスク・コントローラ（ＨＤＣ）／ＭＰＵ集積回路（以下、ＨＤＣ／ＭＰＵ）、メモリの一例としてのＲＡＭ等を有する。図１（ｂ）に示されるように、ＨＤＤＤ１００は回路基板１１７が配置されるベース１０２の面と、その面に対向するトップカバー１０４の面とが最も広い平面であり、この両面に垂直な長手面及び小口面を有する直方体形状である。
【００３５】
回路基板１１７上の回路は、チップ１１８、チップ１１９に集積され、実装されている。また、ＨＤＤ１００とホストとを接続するためのＺＩＦ（Ｚｅｒｏ  Ｉｎｓｅｒｔｉｏｎ  Ｆｏｒｃｅ）コネクタ１２０を有する。回路基板１１７は、複数の螺子１２１によってベース１０２に固定されている。尚、本実施形態に係るＨＤＤ１００は、０．８５インチの磁気ディスク１０１を用いており、外形寸法が縦２９ｍｍ×横４０ｍｍ×高さ５ｍｍである。回路基板１１７には貫通穴が形成されており、この貫通穴からベース１０２の一部分であるスピンドル・カバー１０２ａ、回動軸カバー１０２ｂが露出している。スピンドル・カバー１０２ａは、内部にＳＰＭ１０３が配置されている部分であり、回動軸カバー１０２ｂは、内部に回動軸１０７が配置されている部分である。
【００３６】
図２に示すように、ＺＩＦコネクタ１２０は、端子１２０ａとラッチ１２０ｂとを有する。端子１２０ａは凹部を有する。ラッチ１２０ｂは、端子１２０ａに対して回動可能に連結されており、端子１２０ａに接続されるフレックス・ケーブル１２３を固定する。図２（ｂ）に示すように、端子１２０ａの凹部にフレックス・ケーブル１２３が挿入され、ラッチ１２０ｂによってフレックス・ケーブル１２３が固定される。
【００３７】
次に、図３（ａ）、（ｂ）を用いて本実施形態に係るアタッチメント・カード２００について説明する。図３（ａ）は本実施形態に係るアタッチメント・カード２００を示す斜視図である。本実施形態に係るアタッチメント・カード２００は、ＨＤＤ１００をホストのスロットに接続するための変換アダプタである。図３（ｂ）は、本実施形態に係るアタッチメント・カード２００の分解斜視図である。アタッチメント・カード２００は、ボールド・カバー２０１及び変換基板２０２を有する。ＨＤＤ１００は、ボールド・カバー２０１に収容され、フレックス・ケーブル１２３を介して変換基板２０２と接続される。ボールド・カバー２０１は、ＨＤＤ１００を収容するケースとホストに接続するインターフェース・コネクタとが一体となったものであり、差込部２１１、モールドピン２１２、ケーブル支持部２１３、ＨＤＤ載置部２１４、平面突起２１５、係止部２１６、被装部２１７、係止受部２１８及び押圧ゴム２１９を有する。
【００３８】
差込部２１１はホストのスロットに差し込まれる部分であり、差込部２１１の端辺近傍に変換基板２０２のＣＦコネクタ２２３が載置される。差込部２１１は四角形の板状部材であり、一方の主面上の両端部近傍に側壁２１１ａが形成されている。側壁２１１ａは、ＣＦコネクタ２２３が形成された端辺と垂直な辺に形成される。本実施形態のアタッチメント・カード２００はＣＦ（ＣｏｍｐａｃｔＦｌａｓｈ）（登録商標）規格を採用している。従って、差込部２１１の寸法は、縦４２．８ｍｍ×横３６．４ｍｍ×高さ３．３ｍｍを基準としている。
【００３９】
差込部２１１の側壁２１１ａが形成された面において、両側の側壁２１１ａの間に変換基板２０２が配置される。また、変換基板２０２を貫通し、更にフレックス・ケーブル１２３を貫通するようにモールドピン２１２が設けられる。モールドピン２１２がフレックス・ケーブル１２３を貫通することにより、フレックス・ケーブル１２３の変換基板２０２上の位置が定まる。更に、フレックス・ケーブル１２３の水平度を保つため、ケーブル支持部２１３が形成される。
【００４０】
ＨＤＤ載置部２１４はＨＤＤ１００を載置する部位であり、ＨＤＤ１００を載置する略長方形の板状部とその板状部の端辺近傍であって対向する１組の両端に設けられた側壁２１４ａとを有する。図３（ａ）に示されるように、２つの側壁２１４ａはその壁面が互いに平行となるように配置されている。ＨＤＤ載置部２１４は、差込部２１１と隣接して設けられている。ここで、ＨＤＤ載置部２１４は、差込部２１１のＣＦコネクタ２２３が配置された端辺と対向する端辺において差込部２１１と隣接している。また、側壁２１４ａは、ＨＤＤ載置部２１４の差込部２１１と隣接している端辺に垂直な端辺近傍に設けられる。ＨＤＤ載置部２１４の差込部２１１と隣接する端辺と対向する端辺には何も設けられずオープンな状態となっている。
【００４１】
ＨＤＤ載置部２１４の四隅近傍には平面突起２１５が夫々設けられている。平面突起２１５は、側壁２１４ａと連続して形成されている。また、ＨＤＤ載置部２１４の端部には、ＨＤＤ載置部２１４に被せられる被装部２１７を係止するための係止部２１６がＨＤＤ載置部２１４に対して回動可能に設けられている。被装部２１７は、係止部２１６とは反対側の端部においてＨＤＤ載置部２１４に対して回動可能に連結されており、ＨＤＤ載置部２１４に重ねられた状態でＨＤＤ１００を押圧しながら覆うカバーである。被装部２１７はその端部に、係止部２１６と嵌合する係止受部２１８を有する。また、ＨＤＤ載置部２１４に載置されたＨＤＤ１００を押圧固定する押圧ゴム２１９を有する。
【００４２】
変換基板２０２は、ＨＤＤ１００のインターフェースをＣＦに変換する回路基板であり、ＺＩＦコネクタ２２１、切り欠き部２２２及びＣＦコネクタ２２３を有する。ＺＩＦコネクタ２２１はフレックス・ケーブル１２３を接続するためのコネクタであり、図２（ａ）、（ｂ）において説明したＨＤＤ１００のＺＩＦコネクタ１２０と略同一のものである。即ち、ＺＩＦコネクタ１２０は、端子２２１ａとラッチ２２１ｂとを有し、端子２２１ａは凹部を有し、ラッチ２２１ｂは、端子２２１ａに対して回動可能に連結されており、端子２２１ａに接続されるフレックス・ケーブル１２３を固定する。
【００４３】
変換基板２０２が差込部２１１上に配置された状態において、ＺＩＦコネクタ２２１は変換基板２０２上のＨＤＤ載置部２１４側の端部近傍に設けられる。即ち、ＺＩＦコネクタ２２１は、変換基板２０２のＣＦコネクタ２２３が設けられた側の端部と対向する端部近傍に設けられる。切り欠き２２２は変換基板２０２を差込部２１１に固定するための螺子を嵌め込む部分である。
【００４４】
変換基板２０２は、差込部２１１に形成された螺子穴と切り欠き２２２とが位置合わせされるように、差込部２１１上に配置される。そして、差込部２１１に形成された螺子穴に螺子を螺嵌することにより、螺子と変換基板２０２とが嵌合し、変換基板２０２が差込部２１１上に固定される。ＣＦコネクタ２２３はホストの端子と接続されるＣＦ規格の端子であり、５０ピンの雌型端子である。ＣＦコネクタ２２３は、変換基板２０２においてＺＩＦコネクタ２２１が実装された面とは反対側の面において、変換基板２０２に接続され、実装されている。こうすることにより、変換基板２０２の実装面積の向上を図ることができる。変換基板２０２の実装面積の向上により、配線同士の間隔を広げることができる。従って、配線間のクロストークによる影響を低減することができる。
【００４５】
図４（ａ）に、ＨＤＤ載置部２１４上にＨＤＤ１００を載置し、フレックス・ケーブル１２３を介してＺＩＦコネクタ２２１とＺＩＦコネクタ１２０とを接続した状態の斜視図を示す。図４（ａ）に示すように、ＨＤＤ１００はトップカバー１０４がＨＤＤ載置部２１４のＨＤＤ載置面に対向するようにセットされる。アタッチメント・カード２００にＨＤＤＤ１００をセットする際は、ＺＩＦコネクタ２２１にフレックス・ケーブル１２３が接続された状態で、ＨＤＤ１００のＺＩＦコネクタ１２０にフレックス・ケーブル１２３が挿入されるように、ＨＤＤ１００をＨＤＤ載置部２１４にセットする。具体的には、ＨＤＤ載置部２１４の差込部２１１に隣接する側とは反対側の端部からＨＤＤ１００をＨＤＤＤ載置部２１４に挿入する。
【００４６】
２つの側壁２１４ａは、ＨＤＤ１００の長手方向の幅と実質的に同一の間隔若しくはわずかに広い間隔で形成されている。ＨＤＤ１００は、その小口面が側壁２１４ａに対向した状態でＨＤＤ載置部２１４に挿入される。従って、ＨＤＤ１００をＨＤＤ載置部２１４にセットする際、側壁２１４ａがガイドとなり、ＨＤＤ１００は側壁２１４ａに沿って挿入される。これにより、ＨＤＤ載置部２１４におけるＨＤＤ１００の位置が定まる。従って、ＨＤＤ１００をＨＤＤ載置部２１４に挿入する際、ＨＤＤ１００のＺＩＦコネクタ１２０の凹部とＺＩＦコネクタ２２１に接続されたフレックス・ケーブル１２３とが対向して配置され、両者が対向する方向と略平行にＨＤＤ１００が挿入される。これにより、ＨＤＤ１００をＨＤＤ載置部２１４にセットする際の、フレックス・ケーブル１２３とＺＩＦコネクタ１２０との接続を容易に行うことができる。
【００４７】
ＨＤＤ１００は、ＨＤＤ載置部２１４上において平面突起２１５によって支持される。ＨＤＤ載置部２１４の面ではなく点で支持することにより、ＨＤＤ１００を安定して支持することができる。尚、本実施形態においては、ＨＤＤ載置部２１４の四隅に合計４つの平面突起２１５を設けているが、少なくとも３点で支持すればＨＤＤ１００を安定して支持することができる。従って、３点支持となるように、３つの平面突起２１５を設けても良いし、５個以上設けても良い。
【００４８】
変換基板２０２のＺＩＦコネクタ２２１の位置は、ＨＤＤ１００のＺＩＦコネクタ１２０の位置に合わせて決められている。即ち、ＨＤＤ１００をＨＤＤ載置部２１４上に載置した状態におけるＺＩＦコネクタ１２０の位置と、変換基板２０２を差込部２１１上に載置した状態におけるＺＩＦコネクタ２２１の位置とが近くなるように配置されている。更には、ＺＩＦコネクタ１２０の端子１２０ａの凹部と、ＺＩＦコネクタ２２１の端子２２１ａの凹部とが対向するように配置される。これにより、フレックス・ケーブル１２３の長さを短くすることができるとともに、フレックス・ケーブル１２３を直線的な配線のみの簡易な構成とすることができる。また、ＨＤＤ１００をＨＤＤ載置部２１４にセットする際、フレックス・ケーブル１２３のＺＩＦコネクタ１２０への挿入を容易に行うことができる。
【００４９】
図４（ｂ）は、図４（ａ）の状態から被装部２１７を閉じた状態を示す斜視図である。図４（ｂ）に示すように、被装部２１７がＨＤＤ載置部２１４に対して回動し、ＨＤＤ１００の回路基板１１７が形成された面に覆い被さるようにＨＤＤ載置部２１４に重なる。押圧ゴム２１９は、被装部２１７がＨＤＤ１００に覆い被さった状態において、被装部２１７のＨＤＤ１００に対向する面に配置されており、ＨＤＤ１００のトップカバー１０４とは反対側の面、即ち回路基板１１７が配置されたベース１０２側の面を押圧する。更に、押圧ゴム２１９は、ＨＤＤ１００のスピンドル・カバー１０２ａに当接するように配置されている。即ち、被装部２１７がＨＤＤ１００に覆い被さった状態において、スピンドル・カバー１０２ａの位置と押圧ゴム２１９の位置とは略一致する。
【００５０】
図５（ａ）、（ｂ）は、ＨＤＤ載置部２１４にＨＤＤ１００が載置され、被装部２１７がＨＤＤ１００に被せられた状態における、アタッチメント・カード２００の側面を模式的に示す側面図である。図５（ａ）は、押圧ゴム２１９の標準状態におけるアタッチメント・カード２００の状態を示しており、図５（ｂ）は、押圧ゴム２１９が押し縮められた状態におけるアタッチメント・カード２００の状態を示している。押圧ゴム２１９がスピンドル・カバー１０２ａに当接した状態において、被装部２１７を更にＨＤＤ１００に近づけるようにＨＤＤ載置部２１４に対して回動させると、押圧ゴム２１９が被装部２１７とスピンドル・カバー１０２ａとの間で押縮される。この状態において、係止部２１６が係止受部２１８に掛合し、被装部２１７がＨＤＤ載置部２１４に重なった状態で固定される。
【００５１】
押圧ゴム２１９は、その中心軸がＨＤＤ１００の被押圧面に対して垂直な方向に沿う筒状の弾性体である。即ち、押圧ゴム２１９は自身が押縮される方向に沿った中心軸を有する筒状体である。図５（ａ）、（ｂ）においては、押圧ゴム２１９の内壁を点線で示している。押圧ゴム２１９が被装部２１７とスピンドル・カバー１０２ａとの間で押縮されると押圧ゴム２１９は屈折する。具体的には、押圧ゴム２１９がその中心軸にそった方向に押縮されると、その筒状体の側面が屈折し左右に広がる。
【００５２】
図５（ａ）に示すように、押圧ゴム２１９の標準状態においては、係止受部２１８はＨＤＤ載置部２１４に対して係止部２１６よりも高く位置する。図５（ｂ）に示すように、押圧ゴム２１９を押縮した状態で、係止部２１６を係止受部２１８に掛合し、被装部２１７をＨＤＤ載置部２１４に固定すると、押縮された押圧ゴム２１９の反発力により、スピンドル・カバー１０２ａが押圧される。これにより、ＨＤＤ１００が平面突起２１５と押圧ゴム２１９との間で押圧され挟持される。
【００５３】
スピンドル・カバー１０２ａを必要以上に強い力で押すと、ＨＤＤ１００の筐体が変形してしまう。しかしながら、ＨＤＤ１００を押圧する力が弱すぎると、ＨＤＤ１００を適正に固定できない。本実施形態の押圧ゴム２１９のように筒状の弾性体を用いることにより、ＨＤＤ１００を適正な押圧力で押圧することができる。また、被装部２１７をＨＤＤＤ１００に被せ、ＨＤＤ１００に近づけた際、側壁２１４ａが被装部２１７のストッパーとなり、ＨＤＤ１００が必要以上に強い力で押圧されることを避けることができる。
【００５４】
ＨＤＤ１００は小型化されたＨＤＤであるため、ＨＤＤ１００をアタッチメント・カード２００において押圧固定する際に押圧する位置が問題となる。３．５インチ等のＨＤＤにおいては、その側部を押圧若しくは螺子止め等して固定することが可能である。しかしながら、本実施形態に係るＨＤＤＤ１００はその側部をガスケット１１６によって覆われている。従って、ガスケット１１６の破損等を防止するため、ＨＤＤ１００の側部を押圧することは好ましくない。また、回路基板１１７は小型化されたＨＤＤ１００に適用するために集積度が高くなっており、螺子１２１以外の部分には押圧可能な部分は無いに等しい。本実施形態においては、ベース１０２上に凸部として設けられ、回路基板１１７の貫通穴から露出しているスピンドル・カバー１０２ａの部分を押圧することにより、この問題を解決している。
【００５５】
尚、スピンドル・カバー１０２ａに限らず、ベース１０２の一部であって、回路基板１１７から露出している部分があれば、その部分を押圧することにより、同様の効果を得ることができる。例えば、回動軸カバー１０２ｂを押圧することもできる。また、螺子１２１を押圧することもできる。更に、回路基板１１７がベース１０２側ではなくトップカバー１０４側に設けられる場合であっても、回路基板１１７から露出するトップカバー１０４の一部を押圧することにより、上記と同様の効果を得ることができる。
【００５６】
図６（ａ）に、図４（ｂ）の切断線ＡＡにおける側断面図を示す。図６（ａ）に示す様に、変換基板２０２は、ＣＦコネクタ２２３、モールドピン２１２及び差込部２１１の変換基板２０２に対向する底面２１１ｂに設けられたモールド２１１ｃによって支持されており、底面２１１ｂに対して傾いて支持されている。変換基板２０２の底面２１１ｂからの高さは、ＺＩＦコネクタ２２１側が低くＣＦコネクタ２２３側が高くなっている。即ち、変換基板２０２は、ＣＦコネクタ２２３が形成された側の端部から、ＺＩＦコネクタ２２１が形成された側の端部に向かう方向において、底面２１１ｂに近付くように傾斜している。
【００５７】
ＣＦコネクタ２２３の変換基板２０２への実装においては、ＣＦコネクタ２２３の構造上、実装面の上方に、ある程度の間隔が必要となる。ＣＦコネクタ２２３は、変換基板２０２の底面２１１ｂに対向する面上に設けられている。従って、変換基板２０２のＣＦコネクタ２２３が形成されている側の端部は、差込部２１１との間にある程度の間隔を設けて配置される。
【００５８】
図６（ｂ）に、アタッチメント・カード２００をホストのスロットに差し込んだ状態を模式的に示す。図６（ｂ）に示すように、ＺＩＦコネクタ２２１が形成された領域における変換基板２０２の面と、この面に対向するホストのスロットの内壁（天井）３０１との間に、ある程度の間隔が設けられている。この間隔は、例えばＺＩＦコネクタ２２１のラッチ２２１ｂの幅よりも広く設けられる。即ち、ＺＩＦコネクタ２２１の閉状態及び開状態のいずれにおいても、ＺＩＦコネクタ２２１は内壁３０１に接触しない。
【００５９】
図２のＺＩＦコネクタ１２０の説明において説明した通り、ＺＩＦコネクタ２２１も、ラッチ２２１ｂが端子２２１ａに対して回動する構成となっている。アタッチメント・カード２００がホストのスロットに差し込まれた状態で、ラッチ２２１ｂが回動し、ＺＩＦコネクタ２２１が開状態となってしまった場合、ＺＩＦコネクタ２２１と内壁３０１との間隔が狭いと、ラッチ２２１ｂが引っかかってしまい、アタッチメント・カード２００がホストのスロットから抜けなくなる可能性がある。従って、変換基板２０２は、ＺＩＦコネクタ２２１とスロットの内壁３０１との間に所定の間隔が形成されるように配置される。尚、ＺＩＦコネクタ２２１の閉状態及び開状態のいずれにおいても、ＺＩＦコネクタ２２１が側壁２１１ａよりも低いように構成することもできる。
【００６０】
図６（ａ）に示すように、変換基板２０２を傾けることにより、ＺＩＦコネクタ２２１とＣＦコネクタ２２３とを変換基板２０２の異なる面上に配置しながらも、ＣＦのスロットに差し込まれる差込部２１１の寸法の範囲内において、ＺＩＦコネクタ２２１の上方及びＣＦコネクタ２２３の上方に必要な間隔を設けることができる。
【００６１】
また、図６（ａ）に示すように、ケーブル支持部２１３は、変換基板２０２とＨＤＤ１００との間でフレックス・ケーブル１２３を支持している。上記の通り、変換基板２０２は傾いているため、そのままではＺＩＦコネクタ２２１に接続されたフレックス・ケーブル１２３も傾いた状態となる。
【００６２】
ケーブル支持部２１３が、変換基板２０２とＨＤＤ載置部２１４に載置されたＨＤＤ１００との間で、フレックス・ケーブル１２３を支持することにより、フレックス・ケーブル１２３のＨＤＤ１００側の端部がＨＤＤ載置部２１４の載置面と略平行となるように、フレックス・ケーブル１２３が湾曲する。即ち、フレックス・ケーブル１２３が水平に支持される。これにより、ＨＤＤ１００をアタッチメント・カード２００に収納する際、ＺＩＦコネクタ１２０にフレックス・ケーブル１２３をスムーズに差し込むことができる。
【００６３】
また、図６（ａ）に示すように、ＨＤＤ載置部２１４と差込部２１１との間には段差が設けられており、底面２１１ｂとＨＤＤ１００を載置する面とが、異なる高さとなるように構成されており、底面２１１ｂはＨＤＤ載置部２１４のＨＤＤ１００載置面に対して所定の高さに位置する。具体的には、差込部２１１に取り付けられた変換基板２０２のＺＩＦコネクタ２２１と、ＨＤＤ載置部２１４に載置されたＨＤＤ１００のＺＩＦコネクタ１２０とが略同一の高さとなるように、差込部２１１とＨＤＤ載置部２１４との間に段差が設けられる。これにより、ＨＤＤ１００をアタッチメント・カード２００に収納する際、ＺＩＦコネクタ１２０にフレックス・ケーブル１２３をスムーズに差し込むことができる。
【００６４】
上記の説明においては、モールドピン２１２が差込部２１１上の凸部として形成され、変換基板２０２及びフレックス・ケーブル１２３を貫通する例を説明した。しかしながら、例えば変換基板２０２上において、モールドピン２１２に相当する位置に凸部が形成されており、当該凸部がフレックス・ケーブル１２３を貫通する構成としても良い。これにより、フレックス・ケーブル１２３の位置を決定することができ、上記と同等の効果を得ることができる。また、上記の説明においては、ＣＦ規格を例として説明したが、他のインターフェース・コネクタの規格であっても、本実施例を適用することにより、同様の効果を得ることができる。
【００６５】
また、上記の説明においては、フレックス・ケーブル１２３をケーブル支持部２１３が支持することにより、フレックス・ケーブル１２３の水平度を保つ例を説明した。これ以外でも、例えば、モールドピン２１２の変換基板２０２上に突出した部分に、平坦部を設け、当該平坦部によってフレックス・ケーブル１２３が支持されるような構成とすることもできる。
【００６６】
また、上記の説明においては、ＨＤＤ１００を押圧する部材を押圧ゴム２１９として説明したが、弾性樹脂、更には弾性体であれば上記と同様の効果を得ることができる。尚、上記の説明においては、ＨＤＤ１００を収容するためのアタッチメント・カード２００を例として説明したが、ＨＤＤ以外、例えば光ディスク装置や光磁気ディスク装置にも適用することが可能である。
【図面の簡単な説明】
【００６７】
【図１】本発明の施形態における、ハードディスク・ドライブの構成を模式的に示す図である。
【図２】本発明の施形態における、ハードディスク・ドライブの構成の一部を模式的に示す断面図である。
【図３】本発明の実施形態における、アタッチメント・カードを模式的に示す斜視図である。
【図４】本発明の実施形態における、アタッチメント・カードを模式的に示す斜視図である。
【図５】本発明の実施形態における、アタッチメント・カードの一部を模式的に示す側面図である。
【図６】本発明の実施形態における、アタッチメント・カードを模式的に示す側断面図である。
【符号の説明】
【００６８】
１００  ハードディスク・ドライブ、１０１  磁気ディスク、１０２  ベース、
１０２ａ  スピンドル・カバー、１０２ｂ  回動軸カバー、１０３  スピンドル・モータ
１０４  トップカバー、１０５  ヘッド・スライダ、１０６  アクチュエータ、
１０７  回動軸、１０９  ボイス・コイル・モータ、１１０  サスペンション、
１１１  アーム、１１２  コイル・サポート、１１３  フラットコイル、
１１４  上側ステータ・マグネット保持板、１１５  ランプ機構、１１６  ガスケット、
１１７  回路基板、１１８  チップ、１１９  チップ、１２０  ＺＩＦコネクタ、
１２０ａ  端子、１２０ｂ  ラッチ、１２１  螺子、１２３  フレックス・ケーブル、
２００  アタッチメント・カード、２０１  ボールド・カバー、２０２  変換基板、
２１１  差込部、２１１ａ  側壁、２１１ｂ  底面、２１１ｃ  モールド、
２１２  モールドピン、２１３  ケーブル支持部、２１４  ＨＤＤ載置部、
２１４ａ  側壁、２１５  平面突起、２１６  係止部、２１７  被装部、
２１８  係止受部、２１９  押圧ゴム、２２１  コネクタ、２２１ａ  端子、
２２１ｂ  ラッチ、２２２  切り欠き部、２２３  コネクタ、３０１  内壁、
【図１】
2007220241.tif 000003
【図２】
2007220241.tif 000004
【図３】
2007220241.tif 000005
【図４】
2007220241.tif 000006
【図５】
2007220241.tif 000007
【図６】
2007220241.tif 000008